(57)【特許請求の範囲】
【請求項１】
筬（３）と、緯糸挿入方向（Ａ）に沿って伸び、筬に結合された緯糸挿入管路（４）と、を含むエアー・ジェット織機用の、挿入された緯糸（１４）を引き伸ばすための装置であって、該管路（４）の出口に隣接して配置された入口を有し、挿入方向（Ａ）に沿って移動する緯糸を受け入れる為に配置された主緯糸受入通路（５）と、該主通路（５）の一方の側に隣接して配置され、該主通路と連通する分岐通路（６）と、主通路の入口に隣接して配置され、分岐通路（６）に向かって、主通路に対して横方向に、主通路内に吹き出し、分岐通路の入口に隣接した第１緯糸方向転換部で緯糸を方向転換させるための第１噴射ノズル（８）と、を含む装置において、分岐通路（６）の入口から分岐通路（６）内を下流に吹き出し、第２緯糸方向転換部で緯糸を方向転換させるための第２噴射ノズル（９）と、第１緯糸方向転換部に配置された耐磨耗性の部材（１０）及び第２緯糸方向転換部に配置された耐磨耗性の部材（７）を備え、該耐磨耗性の部材（７、１０）が円筒形の断面を有し、該噴射ノズル（８、９）の吹き出し方向に対して実質的に横方向に伸びていることを特徴とする装置。
【請求項２】
当該分岐通路（６）が主緯糸受入通路（５）に戻り、両方の通路が交わる位置に第３の耐磨耗性の部材（１１）が配置されていることを特徴とする請求項１に記載の装置。
【請求項３】
当該主緯糸受入通路（５）と分岐通路（６）がボデー内に組み込まれ、該ボデーが圧縮空気供給のための接続部を備え、該接続部が、該噴射ノズル（８、９）に通じる導管路（１５、１６、１７）を有することを特徴とする請求項１または２に記載の装置。
【請求項４】
当該耐摩耗性の部材（７、１０、１１）がセラミック材料から構成されることを特徴とする請求項１から３のいずれか１つに記載の装置。
【請求項５】
当該耐摩耗性の部材（７、１０、１１）が、耐摩耗性の被膜を備えることを特徴とする請求項１から３のいずれか１つに記載の装置。
【発明の詳細な説明】
本発明は、特にエアノズル織機用の、挿入された緯糸を引き伸ばすための装置であって、この装置は筬の緯糸挿入通路に接続する通路を備え、この接続通路から、少なくとも１つの緯糸用の方向転換部を備える分岐通路がほぼ垂直に分岐し、この分岐通路に配向された噴射ノズルが前記接続通路の中に開口するような装置に関する。
エアノズル織機の場合、挿入された後に緯糸の後方への跳ね戻りを防止するために、筬の多数のフィンから形成される緯糸挿入通路の端部に、挿入された緯糸を引き伸ばすための装置が配設されている。このような装置は緯糸挿入通路の延長部に直線的に延在する通路を有し、この延在通路に対してほぼ垂直に分岐する分岐通路に配向された噴射ノズルが、前記延在通路の中に開口している。曲がった経路でも通路に再び導き戻すことができるこの通路の入口には（ＥＰ０４９３８４７Ａ１）、方向転換部がある。
本発明の課題は、冒頭に述べた種類の装置を改良することである。
上記課題は、緯糸の挿入方向にほぼ直交して配設された耐摩耗性の部材から、少なくとも一方の方向転換部を形成することによって解決される。
本発明は、１つまたは複数の方向転換部がその上方に走る緯糸のため摩耗にさらされ、この結果ある程度の運転時間後に装置の働きが変わり、また場合によっては装置に入りまたこの装置に保持される緯糸が損傷する可能性があるという考慮を起点としている。１つまたは複数の方向転換部にある１つまたは複数の耐摩耗性の部材によって、より長期の運転時間にわたる一定の機能が確実に保証され、他方で装置による緯糸損傷の危険が低減される。
好適な実施形態では分岐通路は曲がった延在部を備え、また再び通路の中に開口し、この場合緯糸用にそれぞれ１つの方向転換部を形成する耐摩耗性の２つの部材が、分岐通路の入口に配設されている。この実施形態では、方向転換部における緯糸の摩擦と、加えられる空気圧力とが緯糸の跳ね戻りを防止し、この場合に生じる状態はより長期の運転時間にわたっても不変である。というのは、方向転換部は耐摩耗性の部材として形成され、したがってより長期の運転時間後にも大きな摩耗を受けない。
本発明のさらなる利点と特徴が、図面に概略的に示した実施例の以下の説明から明らかになる。
図１は、本発明に基づく引き伸ばし装置の断面図付きエアノズル織機の部分図である。
図２は、図１のラインII−IIにほぼ沿って見た引き伸ばし装置の断面図である。
図３は、図１のＦ３を拡大した断面図である。
引き伸ばすための装置１は筬３と共に筬框２の上に取り付けられている。筬３は、片面で開口したＵ字形の緯糸挿入通路４を形成する多数のフィンから構成されている。
引き伸ばし装置１は、筬３の緯糸挿入通路４に直接接続する通路５を備えた箱状のボデーを有し、この通路は同様にＵ字形のほぼ緯糸挿入通路４に対応する断面を備え、また緯糸挿入通路４の延長部の挿入方向Ａに延在する。
通路５の入口のすぐ後には通路５の分岐通路６が分岐し、その第１の区間は筬框２から離れて通路５に対してほぼ垂直に配向され、次にほぼ円筒状の曲がりによって第２の区間に移行し、この第２の区間は通路５に向かって戻る。分岐通路６の入口開口部上には噴射ノズル８が配向され、この噴射ノズルは筬框２に向かい合った、緯糸通路４に対して若干下に置かれた通路５の下側１３に開口する。この下置き配置のため、到着する緯糸の分岐通路６内への吹込みが容易になる。分岐通路６は、糸走行方向にほぼ洋なし形状または水滴状の全体断面を備える糸案内部材を用いて通路５から分離される。糸案内部材は分岐通路６の入口側に耐摩耗性の部材７を有し、この部材は円筒状の形状を有し、また緯糸１４用の頂部方向転換部を形成する。緯糸１４の挿入方向Ａにほぼ直交して配設された耐摩耗性の部材７に、箱状ボデーの構成部材または別個の構成部品であることが可能な支持部材１２が当接する。耐摩耗性の部材１１は、通路５に向かい合った側の分岐通路６の出口にある。支持部材１２は、それが耐摩耗性の部材７と１１によって案内される緯糸１４に対して下方に下げられるように形成される。このため、鋳バリがあったとしても支持部材は緯糸に接触せず、したがって損傷に至ることはない。両方の耐摩耗性の部材７と１０は噴射ノズル８の噴射方向にほぼ直交して延在し、またアーチ状の外面を有する。
緯糸１４のためにほぼ９０°の角度の巻き付きが耐摩耗性の部材によって可能となり、この部材の頂部ラインのほぼ上方に、別の噴射ノズル９がある。噴射ノズル９は、通路５に向かって戻る分岐通路６の第２の区間の方向にほぼ延在する。噴射ノズル９から流出する空気流は、緯糸１４が耐摩耗性の部材７に、また耐摩耗性の部材１１にも確実に当接するにように働く。噴射ノズル８は２つ以上の小さな噴射開口部を備え、そこから良く配向された噴流を有する圧縮空気が噴出され、他方噴射ノズル９はより大きな１つのみの噴射開口部を有する。
特に図３から分かるように、分岐通路６への入口の前部縁部の領域に別の耐摩耗性の部材１０が配設され、この部材はほぼ緯糸１４の挿入方向Ａに対し直交して配向され、また緯糸用の第１の方向転換部を形成する。この部材１０の寸法、すなわち直径は、分岐通路６への入口を緯糸挿入通路４に可能な限り密接させるために、かなり小さい。
耐摩耗性の部材７は、分岐通路６の断面曲線にほぼ一致する断面曲線を有し、その結果、糸はかなり大きな距離に沿って耐摩耗性の部材７の断面曲線（すなわち曲面）に当接する。示した実施例の異なった形態では、耐摩耗性の部材７と１１ならびに支持部材１２は、洋なし形状のまたは水滴状の断面を有する構成部品から構成される。
図２から分かるように、装置１の箱状のボデーには接続部２０が取り付けられ、そこに圧縮空気供給管が固定可能である。この接続部から、ボデー内に組み込まれた導管路１５、１６、１７が噴射ノズル８と９に通じている。ボデーは例えば噴入鋳造法によって製造することができ、この場合通路５と分岐通路６ならびに噴射ノズル８と９および導管路１５、１６、１７の形状は射出成形によって形成される。他の解決方法では、ボデーの外形のみが鋳込まれ、一方通路５と分岐通路６はフライス加工によって製造される。導管路１５、１６、１７ならびに噴射ノズル８、９は次に中ぐりによって実現され、この場合導管路１６と１７はシール栓１８と１９を用いて閉じられる。
緯糸１４用の方向転換点を形成する耐摩耗性の部材７、１０、１１は、緯糸用に丸くされた当接面を有する。耐摩耗性の部材は、簡単に製造かつ取り付けされる円筒状のボデーであることが好ましい。耐摩耗性の部材は耐摩耗性であるので、これら部材の摩耗はかなり小さく、この結果緯糸１４の糸端部の損傷の危険が低減される。耐摩耗性の部材７、１０、１１は第１の実施形態ではセラミックボデーとして形成される。他の実施形態では、耐摩耗性の部材は、耐摩耗性の被膜を備えた金属またはプラスチック地の部材である。
図１から分かるように、通路５の延長方向のその出口端部に検出器２１が配設され、この検出器の中に緯糸１４が吹き込まれる。同様に筬框２に固定されたこの検出器２１を用いて、例えば長すぎる緯糸１４を検知することが可能である。
既知の方法で主噴射ノズルとリレーノズルとを用いて筬３の緯糸挿入通路４を通して貫通吹込みされる緯糸を引き伸ばすための装置では、最初に緯糸１４が噴射ノズル８によって耐摩耗性の部材７の周囲で方向転換され、その後別の噴射ノズル９によって耐摩耗性の部材７の周囲で方向転換される。緯糸挿入後の緯糸１４の跳ね戻りは、噴射ノズル８と９から吹き出される空気流の作用に基づき、また特に耐摩耗性の部材７と耐摩耗性の部材１０とにおける緯糸１４の摩擦に基づき防止される。
本発明に基づく装置の保護領域は実施例に限定されず、むしろ添付の請求の範囲によって決定される。特に耐摩耗性の部材７、１０、１１の形状および／または配置における、ならびに分岐通路６の形成における異なった形態が可能である。
【図１】
0004070237.tif 000002
【図２】
0004070237.tif 000003
【図３】
0004070237.tif 000004